(57)【要約】【課題】迅速に特定エリア向けの暗号化コンテンツの復号鍵情報を送信する。【解決手段】情報送信システムは、暗号化コンテンツを特定エリアに向けて送信する送信局５と、携帯端末装置６からの要求に応じて、非接触通信により、暗号化コンテンツの復号鍵情報を送信する復号鍵情報送信装置７と、携帯端末装置６とを有する。携帯端末装置６は、復号鍵情報を取得し、送信局５から取得した暗号化コンテンツを復号鍵情報を用いて、復号処理を行い、復号処理されたコンテンツを出力する。【選択図】　　　図１
2004112210.tif 000002
【特許請求の範囲】
【請求項１】
暗号化されたコンテンツである暗号化コンテンツを送信する送信局と、
携帯端末装置からの要求に応じて、非接触通信により、暗号化コンテンツの復号鍵情報を送信する復号鍵情報送信装置と、
前記携帯端末装置において、前記復号鍵情報を取得する取得手段と、
前記携帯端末装置において、前記送信局から取得した暗号化コンテンツを前記復号鍵情報を用いて、復号処理を行う復号処理手段と、
前記携帯端末装置において、復号処理されたコンテンツを出力する出力手段とを有することを特徴とする情報送信システム。
【請求項２】
前記送信局は、前記暗号化コンテンツを特定エリアに向けて送信することを特徴とする請求項１に記載の情報送信システム。
【請求項３】
前記復号鍵情報送信装置は、複数存在し、
前記送信局は、複数の暗号化コンテンツを特定エリアに向けて送信し、
各暗号化コンテンツと対応づけられた復号鍵情報を各復号鍵送信装置に対して送信する送信手段と、
各復号鍵情報送信装置において、送信された復号鍵情報を取得する取得手段とを有することを特徴とする請求項２に記載の情報送信システム。
【請求項４】
前記各復号鍵情報送信装置は、レジ装置、自動販売装置を含む商品に関する装置であり、
前記装置は、前記商品について一定金額以上の購買をしたことを示す購買情報を取得した場合、携帯端末装置に対して、非接触通信により、復号鍵情報を送信することを特徴とする請求項３に記載の情報送信システム。
【請求項５】
前記非接触通信は、通信可能範囲が１０ｍ程度で、２．４ＧＨｚ帯域を用いる無線通信、通信可能な範囲が１ｍ以内で最大伝送速度は４Ｍｂｐｓである赤外線通信、又は、通信可能な範囲が数１０ｃｍ以内である非接触ＩＣカード通信であることを特徴とする請求項１乃至４のうち、いずれか１つの請求項に記載の情報送信システム。
【請求項６】
送信局から送信される暗号化コンテンツを復号する際に必要な復号鍵情報の要求を携帯端末装置から受信する受信手段と、
前記携帯端末装置に対して、非接触通信により、前記暗号化コンテンツの復号鍵情報を送信する送信手段とを有することを特徴とする情報送信装置。
【請求項７】
前記受信手段は、送信局から特定エリアに向けて送信される暗号化コンテンツを復号する際に必要な復号鍵情報の要求を携帯端末装置から受信することを特徴とする請求項６に記載の情報送信装置。
【請求項８】
商品について一定金額以上の購買をしたことを示す購買情報を取得する取得手段を有し、
前記送信手段は、前記取得手段により前記購買情報が取得された場合、携帯端末装置に対して、非接触通信により、暗号化コンテンツの復号鍵情報を送信することを特徴とする請求項７に記載の情報送信装置。
【請求項９】
前記非接触通信は、通信可能範囲が１０ｍ程度で、２．４ＧＨｚ帯域を用いる無線通信、通信可能な範囲が１ｍ以内で最大伝送速度は４Ｍｂｐｓである赤外線通信、又は、通信可能な範囲が数１０ｃｍ以内である非接触ＩＣカード通信であることを特徴とする請求項６乃至８のうち、いずれか１つの請求項に記載の情報送信装置。
【請求項１０】
暗号化されたコンテンツである暗号化コンテンツを送信局が送信する第１送信ステップと、
携帯端末装置からの要求に応じて、復号鍵情報送信装置が非接触通信により、暗号化コンテンツの復号鍵情報を送信する第２送信ステップと、
前記携帯端末装置において、前記復号鍵情報を取得するステップと、
前記携帯端末装置において、前記送信局から取得した暗号化コンテンツを前記復号鍵情報を用いて、復号処理を行うステップと、
前記携帯端末装置において、復号処理されたコンテンツを出力するステップとを有することを特徴とする情報送信方法。
【請求項１１】
前記第１送信ステップでは、前記暗号化コンテンツを送信局が特定エリアに向けて送信することを特徴とする請求項１０に記載の情報送信方法。
【請求項１２】
前記復号鍵情報送信装置は、複数存在し、
前記第１送信ステップでは、前記送信局は、複数の暗号化コンテンツを特定エリアに向けて送信し、
各暗号化コンテンツと対応づけられた復号鍵情報を各復号鍵送信装置に対して送信する第３送信ステップと、
各復号鍵情報送信装置において、送信された復号鍵情報を取得するステップとを有することを特徴とする請求項１１に記載の情報送信方法。
【請求項１３】
前記各復号鍵情報送信装置は、レジ装置、自動販売装置を含む商品に関する装置であり、
前記装置において、前記商品について一定金額以上の購買をしたことを示す購買情報を取得するステップと、
前記購買情報を取得した場合、携帯端末装置に対して、非接触通信により、復号鍵情報を送信するステップとを有することを特徴とする請求項１２に記載の情報送信方法。
【請求項１４】
前記非接触通信は、通信可能範囲が１０ｍ程度で、２．４ＧＨｚ帯域を用いる無線通信、通信可能な範囲が１ｍ以内で最大伝送速度は４Ｍｂｐｓである赤外線通信、又は、通信可能な範囲が数１０ｃｍ以内である非接触ＩＣカード通信であることを特徴とする請求項１０乃至１３のうち、いずれか１つの請求項に記載の情報送信方法。
【発明の詳細な説明】
【０００１】
【発明の属する技術分野】
本発明は、暗号化コンテンツや、復号鍵情報等の情報を送信する情報送信システム、情報送信装置、情報送信方法に関する。
【０００２】
【従来の技術】
従来より、以下のような技術があった、テーマパーク、遊園地等の特定エリアにおいて、例えば、放送情報を視聴できるための認証を予め受けた利用者は、利用者を識別する識別キー情報などを保持する機器を受けとる。そして、放送局は、暗号化された放送情報を特定エリアに向けて送信する。利用者の上記機器は、上記暗号化された放送情報を、識別キー情報を用いて復号する。これにより利用者は、上記機器を用いて、放送情報を視聴できる（例えば、特許文献１参照）。
【０００３】
また、利用者は、有料放送を視聴するために、事前に、郵送やオンライン等で、認証要求を行う場合もある。そして、利用者に対する認証が行われた後、例えば、所定のサーバ装置が利用者の携帯端末装置などに所定の復号鍵情報を送信する。放送局は、暗号化された放送情報を例えば、特定エリアに向けて送信する。特定エリア内にいる利用者の携帯端末装置は、暗号化された放送情報を、復号鍵情報に基づいてデコードする。これにより、利用者は、有料放送を視聴することができる。
【０００４】
【特許文献１】
特開２０００−２４４３４９号公報（要約）
【０００５】
【発明が解決しようとする課題】
しかしながら、上述した従来技術では、以下のような問題があった。特開２０００−２４４３４９号公報などの従来技術では、特定の場所において、例えば管理者などが、上記認証のための所定の行為をする必要があった。そして、上記管理者は、識別キー情報などを保持する機器を利用者に渡していた。このため、上記管理者は、相当な時間と工数をかけて、上述した行為をする必要があり、管理者による人件費が高くなってしまうという問題があった。従って、識別キー情報（復号鍵情報）を利用者に渡すためのコストを低減できるシステムの開発が望まれていた。
【０００６】
また、利用者が、事前にオンライン等で上記認証を受ける場合、例えば、利用者は、携帯端末装置などを用いて、インターネットを介して、認証要求を所定の装置に送信する場合がある。この場合、多数の認証要求が送信されると、通信ネットワーク上における輻輳が発生してしまう。この結果、認証要求が上記所定の装置に送信されないことになり、所定のサーバ装置による復号鍵情報の送信が円滑に行われない場合がある。これにより、利用者は、放送情報などを通信情報を迅速に受けられなくなってしまう。従って、迅速に復号鍵情報を送信するシステムの開発が望まれていた。
【０００７】
本発明は、以上のような問題点を鑑みてなされたものであり、人手によるコストを低減するとともに、迅速に暗号化コンテンツの復号鍵情報を送信できる情報送信システム、情報送信装置、情報送信方法の提供を目的とする。
【０００８】
【課題を解決するための手段】
上記課題を解決するために、本発明は、暗号化されたコンテンツである暗号化コンテンツを送信局が送信し、携帯端末装置からの要求に応じて、復号鍵情報送信装置が非接触通信により、暗号化コンテンツの復号鍵情報を送信し、前記携帯端末装置において、前記復号鍵情報を取得し、前記携帯端末装置において、前記送信局から取得した暗号化コンテンツを前記復号鍵情報を用いて、復号処理を行い、前記携帯端末装置において、復号処理されたコンテンツを出力することを特徴とするものである。この場合、送信局は、例えば、上記暗号化コンテンツを特定エリアに向けて送信する。なお、送信局が暗号化コンテンツを送信するエリアは、特定エリアに限定されない。
【０００９】
本発明によれば、復号鍵情報送信装置により、携帯端末装置からの要求に応じて、非接触通信により、暗号化コンテンツの復号鍵情報を送信することができる。このため、携帯端末装置を保持する利用者が復号鍵情報送信装置に例えば、約１０ｍ以内に接近するだけで、携帯端末装置が復号鍵情報を取得することができる。
【００１０】
この結果、インターネット等の通信ネットワークを介して、復号鍵情報の送信要求や復号鍵情報の送信が行われる必要がないので、復号鍵情報の送信要求や復号鍵情報の送信が殺到してしまうことにより、従来技術のような輻輳が生じることもない。従って、復号鍵情報送信装置は、携帯端末装置に対して、非接触通信により、速に復号鍵情報を送信することができるので、利用者は携帯端末装置を用いて迅速に復号鍵情報を取得することができる。
【００１１】
また、利用者の携帯端末装置は、復号鍵情報送信装置から、非接触通信により、復号鍵情報を取得できるので、例えば管理者が認証のための所定の行為を行う必要もなく、復号鍵情報を有する装置を利用者に渡すという行為を行う必要もない。このため、本発明によれば、利用者の携帯端末装置が復号鍵情報を取得する場合において、人手によるコストの低減化が可能である。
【００１２】
また、例えば、事前にユーザ登録をしなくとも、携帯端末装置が復号鍵情報を取得することができるので、利用者は、手間をかけずに、復号鍵情報を取得することが可能となる。
【００１３】
また、本発明は、上記発明において、前記復号鍵情報送信装置は、複数存在し、前記暗号化コンテンツの送信では、前記送信局が、複数の暗号化コンテンツを特定エリアに向けて送信し、各暗号化コンテンツと対応づけられた復号鍵情報を各復号鍵送信装置に対して送信し、各復号鍵情報送信装置において、送信された復号鍵情報を取得することを特徴とするものである。
【００１４】
本発明によれば、各復号鍵情報送信装置が取得する復号鍵情報を各々異なるようにすることができるので、各利用者は、視聴希望の暗号化コンテンツの復号鍵情報を取得している復号鍵情報送信装置に接近することで、各利用者が保持する携帯端末装置が上記復号鍵情報を取得することができる。そして、視聴希望の暗号化コンテンツを上記携帯端末装置が取得した場合、上記携帯端末装置は、上記復号鍵情報を用いて、上記暗号化コンテンツの復号処理を行い、コンテンツを出力することができる。
【００１５】
これにより、複数のコンテンツのうち、視聴希望のコンテンツを各利用者が選択できるので、利用者の利便性を一層向上させることができる。
【００１６】
また、本発明は、上記発明において、前記各復号鍵情報送信装置は、レジ装置、自動販売装置等の商品に関する装置であり、前記装置において、前記商品について一定金額以上の購買をしたことを示す購買情報を取得し、前記購買情報を取得した場合、携帯端末装置に対して、非接触通信により、復号鍵情報を送信することを特徴とするものである。
【００１７】
本発明によれば、ある一定の金額以上の商品購入をした場合に、例えば、クーポンとして、復号鍵情報を送信するようにしているので、その商品に対する販売促進を図ることが可能となる。
【００１８】
また、本発明では、上記非接触通信は、通信可能範囲が１０ｍ程度で、２．４ＧＨｚ帯域を用いる無線通信、通信可能範囲が１ｍ以内で最大伝送速度は４Ｍｂｐｓである赤外線通信、又は、通信可能な範囲が数１０ｃｍ以内である非接触ＩＣカード通信であることが好ましい。
【００１９】
【発明の実施の形態】
図１は、本実施の形態である情報送信システムの構成を示す図である。本システムは、放送サーバ装置１と、放送サーバ装置１と公衆ネットワーク２（例えば、インターネット等）を介して接続されたゲートウェイ装置３と、ゲートウェイ装置３と移動通信網４を介して接続された基地局５と、基地局５と無線通信を行う携帯端末装置６と、特定エリアの入場口に配置された復号鍵情報送信装置７とを有する。なお、上記復号鍵情報送信装置７は、特定エリアの外部に配置されていてもよい。
【００２０】
放送サーバ装置１は、音声、映像、文字データ等のうち、少なくとも１つ以上を含む所定の番組情報や案内情報等のコンテンツ（以下、放送コンテンツという）を生成する。そして、放送サーバ装置１は、生成した放送コンテンツに対して、暗号処理を施す。具体的には、放送サーバ装置１は、生成した放送コンテンツに対して、暗号鍵情報を用いて、暗号処理を行い、暗号化放送コンテンツを生成する。なお、本実施の形態では、暗号化の方法（例えば、公開鍵方式、秘密鍵方式）は特に限定しない。
【００２１】
また、放送サーバ装置１は、暗号化放送コンテンツを送信する場合、ダウンロード型で送信する場合、ストリーミング型で送信する場合等があるが、本実施の形態では、一例として、ダウンロード型で送信する場合を例にして説明する。ゲートウェイ装置３は、公衆ネットワーク２と移動通信網４との間におけるプロトコル変換やアドレス変換等を行う。
【００２２】
基地局５（送信局）は、暗号化された放送コンテンツである暗号化放送コンテンツを特定エリアに向けて送信する。具体的には、基地局５は、特定エリア内に電波が届くレベルの送信電力で、暗号化放送コンテンツを送信する。そして、基地局５は、例えば、共通チャネルを用いて、暗号化放送コンテンツを特定エリア内の各携帯端末装置６に送信する。なお、基地局５は、特定エリア内に配置されてもよいし、特定エリア外に配置されてもよい。
【００２３】
復号鍵情報送信装置７は、例えば、テーマパーク、遊園地、イベント広場等の特定エリアの入場口に配置されている。図２は、復号鍵情報送信装置７の内部構成を示すブロック図である。復号鍵情報送信装置７は、検出部７ａ、通信部７ｂ、ゲート部７ｃ、復号鍵情報記憶部７ｄ、出力部（図示せず）、各部を制御する制御部７ｆを有する。
【００２４】
復号鍵情報記憶部７ｄには、暗号化放送コンテンツを復号するための復号鍵情報が記憶されている。この復号鍵情報は、放送サーバ装置１が用いる暗号鍵情報に対応するものである。
【００２５】
検出部７ａは、利用者を検出すると、その旨を制御部７ｆへ送る。すると、制御部７ｆは、ゲート部７ｃに対して、閉じるように指示する。通信部７ｂは、送信部及び受信部を有する。
【００２６】
通信部７ｂは、非接触通信により、携帯端末装置６との間で、データ通信を行う。ここでいう非接触通信とは、携帯端末装置６が復号鍵情報送信装置７と離間して行うデータ通信のことである。非接触通信の一例としては、例えば、通信可能範囲が１０ｍ程度で、２．４ＧＨｚ帯域を用いる無線通信（具体的には、Ｂｌｕｅｔｏｏｔｈ（商標）と呼ばれる無線通信方式）や、通信可能範囲が１ｍ以内で最大伝送速度は４Ｍｂｐｓである赤外線通信（具体的には、ＩｒＤＡ（商標）と呼ばれる通信方式）、通信可能な範囲が数１０ｃｍ以内である非接触ＩＣカード通信
がある。
【００２７】
送信部７ｂは、非接触通信により、復号鍵情報の送信要求がないか問い合わせる問い合わせ情報を一定間隔毎に送信する。
【００２８】
受信部７ｂは、携帯端末装置６から復号鍵情報の送信要求を受信した場合、その旨を制御部７ｆへ送る。制御部７ｆは、送信部７ｂに、ＡＣＫ情報（正常に送信要求を受信した旨及び復号鍵情報を送信する旨のＡＣＫ情報）を送信させる。
【００２９】
後述する携帯端末装置６と復号鍵情報送信装置７との間の非接触通信経路の確立がされた後、制御部７ｆは、復号鍵情報記憶部７ｄから復号鍵情報を取得し、送信部７ｂを介して、上記携帯端末装置６に対して、非接触通信により復号鍵情報を送信する。そして、送信部７ｂは、携帯端末装置６との間における非接触通信が終了した場合、その旨を制御部７ｆに通知する。制御部７ｆは、出力部に対して、利用者に対して、例えば、「放送コンテンツの復号鍵情報の送信が終わりました。この復号鍵情報送信装置７を通過してください」等の出力を行う。そして、制御部７ｆは、ゲート部７ｃに対して、開くように指示する。なお、制御部７ｆには、時間を計測するタイマー（図示せず）が内蔵されている。
【００３０】
この復号鍵情報送信装置７の外部構造の一例を図３に示す。復号鍵情報送信装置７においては、利用者の通過方向に延設された壁体部７ｇが設けられている。ゲート部７ｃは、出口側に開閉可能に設けられ、回動するように構成されている。検出部７ａ、通信部７ｂ、出力部（図示せず）は、それぞれ、上記壁体部７ｇの所定の位置に配設されている。この復号鍵情報送信装置は、例えば、遊園地等のゲート装置として構成してもよい。
【００３１】
図４は、携帯端末装置６の構成を示すブロック図である。携帯端末装置としては、例えば、携帯電話、ＰＤＡ等がある。携帯端末装置６は、通信部６ｂ、記憶部６ｃ、入力部６ｄ、処理部６ｆ、出力部６ｇ、各部を制御する制御部６ｈを有する。通信部６ｂは、送信部及び受信部を有する。
【００３２】
受信部６ｂは、復号鍵情報送信装置７から送信された問い合わせ情報を受信する。受信部６ｂにより受信された問い合わせ情報は制御部６ｈへ送られる。制御部６ｈの指示により、送信部６ｂは、復号鍵情報送信装置７に対して、復号鍵情報の送信要求を送信する。
【００３３】
受信部６ｂは、正常に送信要求を受信した旨及び復号鍵情報を送信する旨のＡＣＫ情報を復号鍵情報送信装置７から受信する。その後、受信部６ｂは、復号鍵情報を受信できるような待機状態に設定される。また、受信部６ｂは、復号鍵情報送信装置７から送信された復号鍵情報を受信する。受信された復号鍵情報は、制御部（取得部）６ｈにより取得され、記憶部６ｃに記憶される。また、受信部６ｂは、基地局５から共通チャネルを用いて送信された暗号化放送コンテンツを受信する。
【００３４】
記憶部６ｃには、復号鍵情報等の各種の情報が記憶される。入力部６ｄには、各種の情報が入力される。処理部６ｆは、受信された暗号化放送コンテンツが受信部６ｂから制御部６ｈを介して送られた場合、記憶部６ｃから復号鍵情報を取得する。そして、処理部６ｆ（復号処理部）は、上記暗号化放送コンテンツに対して、上記復号鍵情報を用いて復号処理を行う。そして、出力部６ｇは、処理部６ｆにより復号処理が行われた放送コンテンツを出力する。
【００３５】
（動作）
上述した情報送信システムの動作を以下に説明する。
【００３６】
（１）暗号化放送コンテンツの送信方法
図５は、暗号化放送コンテンツの送信方法を示すフローチャート図である。上述したように、放送サーバ装置１が放送コンテンツを生成した後、暗号処理を行い、暗号化放送コンテンツを生成する（Ｓ１０）。そして、放送サーバ装置１は、暗号化放送コンテンツを、公衆ネットワーク２、ゲートウェイ装置３、移動通信網４を介して、所定の基地局５宛に送信する（Ｓ１５）。所定の基地局（送信局）５は、暗号化放送コンテンツを特定エリアに向けて送信する（Ｓ２０）。
【００３７】
（２）復号鍵情報の取得方法
図６は、復号鍵情報の取得方法を説明するためのフローチャート図である。特定エリアへの入場を希望し、上記放送コンテンツの視聴を希望する利用者が、復号鍵情報送信装置７に接近する。この際、利用者は、携帯端末装置６を保持している。復号鍵情報送信装置７の検出部７ａは、利用者を検出すると、その旨を制御部７ｆに通知する。制御部７ｆは、ゲート部７ｃに対して、ゲート部７ｃを閉じるように指示すると、ゲート部７ｃは実行する。また、制御部７ｆは、送信部７ｂに対して、上記問い合わせ情報を一定間隔毎に送信するように指示する。
【００３８】
復号鍵情報送信装置７の送信部７ｂは、上記問い合わせ情報を一定間隔毎に送信する（Ｓ３０）。なお、送信部７ｂは、制御部７ｆに指示にかかわらず、問い合わせ情報を一定間隔毎に送信するようにしてもよい。
【００３９】
復号鍵情報送信装置７の制御部７ｆは、携帯端末装置６から復号鍵情報の送信要求を取得したか否かを判断する（Ｓ３５）。復号鍵情報の送信要求を取得した場合には、携帯端末装置６と復号鍵情報送信装置７との間で非接触通信経路の確立が行われる（Ｓ４０）。
【００４０】
上記Ｓ３０、Ｓ３５、Ｓ４０の動作を以下に詳細に説明する。ステップＳ３０の後、携帯端末装置６の受信部６ｂは、上記問い合わせ情報を受信すると、制御部６ｈに送る。制御部６ｈは、復号鍵情報の送信要求を生成する。そして、制御部６ｈの指示により、送信部６ｂは、上記非接触通信により、復号鍵情報の送信要求を復号鍵情報送信装置７に対して送信する。
【００４１】
復号鍵情報送信装置７の受信部７ｂは、携帯端末装置６から復号鍵情報の送信要求を受信すると、上記送信要求を制御部７ｆへ送る。制御部７ｆは、復号鍵情報の送信要求があったと判断し（Ｓ３５）、送信部７ｂに、正常に送信要求を受信した旨及び復号鍵情報をこれから送信する旨のＡＣＫ情報を送信させる。この際、制御部７ｆは、他の携帯端末装置６から送信要求が送信されても、受信しないように受信部７ｂに指示する。
【００４２】
ＡＣＫ情報を受信した携帯端末装置６の受信部６ｂは、ＡＣＫ情報を制御部６ｈへ送る。制御部６ｈは、受信部６ｂに対して、復号鍵情報を受信できるように指示する。受信部６ｂは、復号鍵情報を受信できるような待機状態に設定される。これにより、携帯端末装置６と復号鍵情報送信装置７との間における非接触通信経路の確立がされる（Ｓ４０）。その後、ステップＳ５０へ移行する。
【００４３】
一方、復号鍵情報の送信要求を取得しない場合には、復号鍵情報送信装置７の制御部７ｆは、内蔵するタイマーを用いて、所定時間が経過したか否かを判断する（Ｓ４５）。所定時間が経過していない場合には、ステップＳ３５へ移行する。一方、所定時間が経過した場合には、制御部７ｆは、出力部に対して、復号鍵情報を送信できない旨の出力を行わせる（Ｓ４７）。
【００４４】
そして、ステップＳ５０では、復号鍵情報送信装置７の制御部７ｆは、復号鍵情報記憶部７ｄから復号鍵情報を読み出し、送信部７ｂに送り、上記復号鍵情報を送信するように指示する。送信部７ｂは、復号鍵情報を非接触通信により、携帯端末装置６に対して送信する。
【００４５】
携帯端末装置６の受信部６ｂは、復号鍵情報を受信すると、制御部６ｈへ送る。制御部６ｈは、復号鍵情報を取得し、記憶部６ｃに記憶させる（Ｓ５５）。なお、制御部６ｈは、復号鍵情報を記憶部６ｃに記憶させないで、保持するようにしてもよい。
【００４６】
そして、制御部６ｈは、復号鍵情報を正常に受信した旨を示すＡＣＫ情報を送信部６ｂに対して送信させる。上記ＡＣＫ情報を復号鍵情報送信装置７の受信部７ｂが受信すると、制御部７ｆへ送られる。制御部７ｆは、携帯端末装置６が正常に復号鍵情報を受信したことを確認し、復号鍵情報の送信が終了した旨であるＥＯＴ情報を送信部７ｂに送信させる。
【００４７】
携帯端末装置６の受信部６ｂが上記ＥＯＴ情報を受信すると、制御部６ｈへ送られる。制御部６ｈは、ＥＯＴ情報を取得すると、復号鍵情報の送信が終了した旨を認識する。これにより、携帯端末装置６と復号鍵情報送信装置７との間の非接触通信経路が解除される（Ｓ６０）。
【００４８】
（３）暗号化放送コンテンツの受信方法
図７は、暗号化放送コンテンツの受信方法を説明するためのフローチャート図である。上述のようにして、復号鍵情報を取得した携帯端末装置６を保持する利用者が、特定エリアに入る。そして、利用者は、入力部６ｄを用いて、暗号化放送コンテンツを受信できるような状態に設定する情報を入力する（Ｓ１００、ビューアの起動）。すると、上記情報は、制御部６ｈへ送られる。制御部６ｈは、受信部６ｂに対して、暗号化放送コンテンツを受信できるように設定させる。
【００４９】
携帯端末装置６の受信部６ｂが、暗号化放送コンテンツを受信すると、制御部６ｈが上記暗号化放送コンテンツを取得して（Ｓ１０５）、いったん、記憶部６ｃに記憶させる。暗号化放送コンテンツは、制御部６ｈを介して処理部６ｆへ送られる。処理部６ｆは、記憶部６ｃから復号鍵情報及び暗号化放送コンテンツを取得する。そして、処理部６ｆは、復号鍵情報を用いて、暗号化放送コンテンツの復号処理を行い（Ｓ１１０）、出力部６ｇに放送コンテンツの処理結果（音楽、映像等）を出力させる（Ｓ１２０）。なお、復号鍵情報は、当日限り有効であるようにしてもよい。
【００５０】
（作用効果）
本実施の形態では、復号鍵情報送信装置７により、携帯端末装置６からの要求に応じて、非接触通信により、暗号化コンテンツの復号鍵情報を送信することができる。このため、本実施の形態によれば、携帯端末装置６を保持する利用者が復号鍵情報送信装置７に例えば、約１０ｍ以内に接近するだけで、携帯端末装置６が復号鍵情報を取得することができる。
【００５１】
この結果、インターネット等の通信ネットワークを介して、復号鍵情報を取得する必要がないので、復号鍵情報の送信要求や復号鍵情報の送信が殺到してしまうことにより、従来技術のような輻輳が生じることもない。従って、復号鍵情報送信装置７は、携帯端末装置６に対して、非接触通信により、迅速に復号鍵情報を送信することができるので、利用者は携帯端末装置６を用いて迅速に復号鍵情報を取得することができる。
【００５２】
また、利用者の携帯端末装置６は、復号鍵情報送信装置７から、非接触通信により、復号鍵情報を取得できるので、例えば管理者が認証のための所定の行為を行う必要もなく、復号鍵情報を有する装置を利用者に渡すという行為を行う必要もない。このため、本実施の形態によれば、利用者の携帯端末装置６が復号鍵情報を取得する場合において、従来技術に比べて、人手によるコストの低減化が可能である。
【００５３】
また、本実施の形態では、事前にユーザ登録をしなくとも、携帯端末装置６が復号鍵情報を取得することができるので、利用者は、手間をかけずに、復号鍵情報を取得することが可能となる。
【００５４】
また、本実施の形態では、復号鍵情報の取得のために、公衆ネットワーク２等を使用しないので、公衆ネットワーク負荷を軽減できる。また、従来のように、輻輳を発生することを防止できるので、ネットワークリソースの有効活用が可能となる。
【００５５】
なお、本実施の形態では、送信局（基地局）５は、暗号化コンテンツを特定エリアに向けて送信するようにしていたが、特にこれに限定されるわけではない。即ち、送信局（基地局）５は、暗号化コンテンツを任意のエリア（例えば、日本全国）に向けて送信するようにしてもよい。そして、復号鍵情報送信装置７が設置される場所は、限定されない。また、後述する各変形例においても、送信局（基地局）５は、暗号化コンテンツを任意のエリア（例えば、日本全国）に向けて送信するようにしてもよい。
【００５６】
（変形例１）
上述した実施の形態では、放送サーバ装置１が１つの暗号化放送コンテンツを生成し、基地局５が特定エリアに対して、１つの暗号化放送コンテンツを送信していたが、以下のように変形することも可能である。
【００５７】
図８は、本変形例の情報送信システムの構成を示す図である。図８において、図１と同一構成については、同一符号を付してその説明を省略する。
【００５８】
本変形例のシステムにおいては、公衆ネットワーク２に接続された複数の復号鍵情報送信装置７が設けられている。そして、本変形例の放送サーバ装置１、基地局５の機能は、以下のようになる。
【００５９】
放送サーバ装置１は、各放送コンテンツを特定する情報と、暗号鍵情報を特定する情報と、復号鍵情報を特定する情報と、復号鍵情報送信装置７のアドレス情報（識別情報）とが対応づけられた対応テーブルが保持している。なお、特定する情報の代わりに識別情報を用いてもよい。
【００６０】
そして、放送サーバ装置１は、複数の暗号鍵情報を暗号鍵情報を特定する情報と対応付けて保持するとともに、複数の復号鍵情報を復号鍵情報を特定する情報と対応づけて保持している。
【００６１】
また、放送サーバ装置１は、複数の放送コンテンツを生成する。そして、放送サーバ装置１は、対応テーブルを参照して、生成した放送コンテンツに対して、対応する暗号鍵情報を用いて、暗号処理を施すことにより、暗号化放送コンテンツを生成する。このようにして、放送サーバ装置１は、複数の放送コンテンツに対して、各々、対応する暗号鍵情報を用いて、複数の暗号化放送コンテンツを生成する。
【００６２】
そして、放送サーバ装置１は、各暗号化放送コンテンツのヘッダ部分に、対応する放送コンテンツを特定する情報を与える。また、放送サーバ装置１は、各暗号化放送コンテンツを特定する情報を示す一覧ページ情報を生成する。そして、放送サーバ装置１は、複数の暗号化放送コンテンツを送信する際に、上記一覧ページ情報も送信する。そして、放送サーバ装置１は、複数の暗号化放送コンテンツを公衆ネットワーク２を介して、所定の基地局５に送る。
【００６３】
また、放送サーバ装置１は、対応テーブルを参照して、各復号鍵情報に対応する復号鍵情報送信装置７のアドレス情報を取得する。そして、放送サーバ装置１は、公衆ネットワーク２を介して、復号鍵情報を、公衆ネットワーク２を介して、対応する復号鍵情報送信装置７に対して送信する機能を有する。各復号鍵情報送信装置７の制御部（取得部）７ｆは、送信されてきた復号鍵情報を取得する。
【００６４】
（動作）
（１）暗号化放送コンテンツの生成、送信方法
先ず、放送サーバ装置１は、放送コンテンツを生成する。そして、放送サーバ装置１は、保持している対応テーブルを参照して、上記放送コンテンツを特定する情報に対応する暗号鍵情報を取得する。そして、放送サーバ装置１は、生成した放送コンテンツに対して、取得した暗号鍵情報を用いて、暗号処理を行い、暗号化放送コンテンツを生成する。
【００６５】
そして、放送サーバ装置１は、生成した暗号化放送コンテンツに対して、対応する放送コンテンツを特定する情報を与える。上述のようにして、放送サーバ装置１は、複数の暗号化放送コンテンツを生成する。また、放送サーバ装置１は、上記一覧ページ情報も生成する。複数の暗号化放送コンテンツ及び一覧ページ情報は、放送サーバ装置１から公衆ネットワーク２等を介して、所定の基地局５に送信される。基地局５は、複数の暗号化放送コンテンツ等を特定エリアに向けて送信する。
【００６６】
（２）放送サーバ装置１による復号鍵情報の送信方法
放送サーバ装置１は、各復号鍵情報に与えられている特定情報を取得する。そして、放送サーバ装置１は、保持している対応テーブルを参照して、取得した上記特定情報に対応する復号鍵情報送信装置７のアドレス情報を取得する。
【００６７】
そして、放送サーバ装置１は、取得したアドレス情報に基づいて、各復号鍵情報を公衆ネットワーク２を介して、対応する復号鍵情報送信装置７に対して送信する。この際、放送サーバ装置１は、復号鍵情報に対して、対応する放送コンテンツを特定する情報を与えてから送信する。放送サーバ装置１は、上述のようにして、全ての復号鍵情報を対応する復号鍵情報送信装置７に送信する。
【００６８】
各復号鍵情報送信装置７の受信部７ｂは、公衆ネットワーク２を介して送信されてきた復号鍵情報を受信すると、制御部７ｆへ送る。制御部７ｆは、復号鍵情報を取得し、放送コンテンツを特定する情報と対応づけて、復号鍵情報記憶部７ｄに記憶させる。
【００６９】
（３）携帯端末装置における復号鍵情報の取得方法
利用者の携帯端末装置６が、上述した実施の形態で説明したように、特定エリアの入場口付近にある復号鍵情報送信装置７から、復号鍵情報を取得した後、以下のような動作が行われる。
【００７０】
例えば、特定エリア内に配置された複数の復号鍵情報送信装置７は、復号鍵情報に対応する放送コンテンツの内容に関する広告を出力部から出力している。なお、復号鍵情報送信装置７に上記広告を貼り付けるようにしてもよい。
【００７１】
そして、利用者は、上記出力により、その放送コンテンツの視聴を希望する場合には、携帯端末装置６を所有して、復号鍵情報送信装置７に接近する。以降の動作は、上述の実施の形態の動作と同じである（Ｓ１０以降の動作）。
【００７２】
（４）暗号化放送コンテンツの受信
利用者は、入力部６ｄを用いて、暗号化放送コンテンツが受信できるような状態に設定する情報を入力する（ビューアの起動）。すると、上記情報は、制御部６ｈへ送られる。制御部６ｈは、受信部６ｂに対して、暗号化放送コンテンツを受信できるように設定させる。
【００７３】
そして、一覧ページ情報及び各暗号化放送コンテンツが受信部６ｂにより受信される。各暗号化放送コンテンツは、制御部６ｈを介して、記憶部６ｃに記憶される。そして、上記一覧ページ情報は、制御部６ｈに保持される。そして、制御部６ｈは、上記一欄ページ情報を出力部６ｇに送ると、出力部６ｇは、上記一覧パージ情報を出力する。
【００７４】
利用者が出力部６ｇにより出力された一欄ページ情報を見て、視聴したい放送コンテンツを特定する情報を入力部６ｄにより入力すると、上記情報は、制御部６ｈに送られる。制御部６ｈは、上記特定する情報に基づいて、記憶部６ｃから対応する暗号化放送コンテンツを読み出し、処理部６ｆへ送る。また、処理部６ｆは、暗号化放送コンテンツに与えられている放送コンテンツを特定する情報を取得し、上記特定する情報に対応する復号鍵情報を記憶部６ｃから取得する。
【００７５】
処理部６ｆは、送られた暗号化放送コンテンツに対して、取得した復号鍵情報を用いて、復号処理を行い、放送コンテンツを出力部６ｇに送る。出力部６ｇは、復号された放送コンテンツを出力する。
【００７６】
なお、利用者が、別の放送コンテンツを視聴したい場合には、入力部６ｄを用いて、再度、一覧ページ情報を出力するように指示すると、その旨が制御部６ｈに送られる。制御部６ｈは、上記旨に基づいて、保持している一覧ページ情報を出力部６ｇに送る。そして、上述の動作と同じ動作が行われる。
【００７７】
また、利用者が視聴を希望した放送コンテンツに対応する復号鍵情報を携帯端末装置６の記憶部６ｃが記憶していない場合には、制御部６ｈは、出力部６ｇに対して、視聴希望の放送コンテンツの出力はできない旨を出力させる。
【００７８】
本変形例によれば、複数の暗号化放送コンテンツが特定エリアに送られる。そして、本変形例の情報送信システムは、複数の復号鍵情報送信装置７を有する。そして、放送サーバ装置１は、各暗号化放送コンテンツに対応する復号鍵情報を各復号鍵情報送信装置７に対して送信し、各復号鍵情報送信装置７（制御部７ｆ）は、送信されてきた復号鍵情報を取得する。
【００７９】
このため、各復号鍵情報送信装置７が取得する復号鍵情報を各々異なるようにすることができるので、各利用者は、視聴希望の暗号化放送コンテンツの復号鍵情報を取得している復号鍵情報送信装置７に接近することで、各利用者が保持する携帯端末装置６が上記復号鍵情報を取得することができる。そして、視聴希望の暗号化放送コンテンツを上記携帯端末装置６が取得した場合、上記携帯端末装置６は、上記復号鍵情報を用いて、上記暗号化放送コンテンツの復号処理を行い、放送コンテンツを出力する。
【００８０】
これにより、複数の放送コンテンツのうち、視聴希望の放送コンテンツを各利用者が選択できるので、利用者の利便性を一層向上させることができる。なお、本システムによれば、視聴できる放送コンテンツに基づいて、利用者を複数のグループに分類することが可能である（マルチキャストグループの構築）。
【００８１】
また、各復号鍵情報送信装置７を、例えば遊園地の特定アトラクション前に設置することで、利用者を上記特定アトラクションに誘導することができる。これにより、１個所のアトラクションに利用者が集中することを防止することができる。また、復号鍵情報送信装置７を広告物の近接に配置することで、利用者にその広告物に目をむけさせる効果が生じ、広告活動を効果的に行うことが可能である。
【００８２】
（変形例２）
上述した実施の形態、変形例１では、放送サーバ装置１がダウンロード型で暗号化放送コンテンツを送信する場合について、説明した。
【００８３】
しかし、携帯電話のような、データメモリ容量が小さい場合には、放送コンテンツのデータ量が大きい場合には、ダウンロードできない場合がある。このため、本変形例では、放送サーバ装置１が暗号化放送コンテンツをストリーム型で送信するようにしている。
【００８４】
以下、実施の形態１、変形例１の構成、機能、動作と異なる点について説明する。
【００８５】
（１）放送サーバ装置１が暗号化放送コンテンツをストリーミング送信を行う場合には、例えば、所定の単位に分割された放送コンテンツ（以下、分割放送コンテンツという）ごとに、暗号鍵情報を用いて、暗号処理を行う。具体的には、例えば、分割放送コンテンツに対して、暗号鍵情報を用いて、暗号処理を行い、次の分割放送コンテンツに対しても、上記暗号鍵情報を用いて暗号処理を行い、のようにして、上述の動作を繰り返すことにより、放送サーバ装置１は、暗号化放送コンテンツを生成する。
【００８６】
なお、放送サーバ装置１が、複数の暗号化放送コンテンツを生成する場合には、各暗号化された分割放送コンテンツのヘッダに放送コンテンツを特定する情報を与える。
【００８７】
（２）また、携帯端末装置６が暗号化放送コンテンツを受信する場合には、以下の点が異なる。先ず、携帯端末装置６が１つの暗号化放送コンテンツを受信する場合について説明する。
基地局５から送信された暗号化放送コンテンツを携帯端末装置６の受信部６ｂが暗号化された分割放送コンテンツごとに受信する。暗号化された分割放送コンテンツは、制御部６ｈを介して処理部６ｆへ送られる。処理部６ｆは、記憶部６ｃから復号鍵情報を取得する。そして、処理部６ｆは、復号鍵情報を用いて、保持している暗号化された分割放送コンテンツの復号処理を行い、出力部６ｇに分割放送コンテンツの処理結果（音楽、映像等）を出力させる。そして、上述の動作が繰り返し行うことで、放送コンテンツの出力が行われる。
【００８８】
また、携帯端末装置６が複数の暗号化放送コンテンツを受信する場合には、以下のようになる。受信部６ｂは、一覧ページ情報を受信するとともに、基地局５から送信された各暗号化放送コンテンツについて、暗号化された分割放送コンテンツごとに受信する。制御部６ｈは、先ず、受信部６ｂから一覧ページ情報を取得し、出力部６ｇに送ると出力部６ｇは、上記一覧パージ情報を出力する。
【００８９】
利用者が出力部６ｇにより出力された一欄ページ情報を見て、視聴したい放送コンテンツを特定する情報を入力すると、制御部６ｈに送られる。制御部６ｈは、上記特定する情報に基づいて、受信部６ｂから対応する暗号化された分割放送コンテンツを読み出し、処理部６ｆへ送る。処理部６ｆは、放送コンテンツを特定する情報を取得し、上記情報に対応する復号鍵情報を記憶部６ｃから取得する。そして、処理部６ｆは、復号鍵情報を用いて、保持している暗号化された分割放送コンテンツの復号処理を行い、出力部６ｇに分割放送コンテンツの処理結果（音楽、映像等）を出力させる。上述の動作が繰り返し行うことで、放送コンテンツの出力が行われる。
【００９０】
そして、利用者から再度一覧ページ情報を出力する旨が入力されない限り、上述の動作が繰り返され、視聴希望の放送コンテンツが出力部６ｇにより出力される。
【００９１】
そして、利用者が、入力部６ｄを用いて、再度、一覧ページ情報を出力するように指示すると、その旨が制御部６ｈに送られる。制御部６ｈは、上記旨に基づいて、保持している一覧ページ情報を出力部６ｇに送る。そして、上述の動作と同じ動作が行われる。
【００９２】
（変形例３）
各復号鍵情報送信装置７は、商品に関する装置にすることも可能である。
【００９３】
図９は、変形例３の商品に関する装置の構成を示す図である。図９において、図２と同一構成については、同一符号を付してその説明を省略する。商品に関する装置は、通信部７ｂ、入力部７ｇ、復号鍵情報記憶部７ｄ、各部を制御する制御部７ｆを有する。
入力部７ｇには、商品について所定の金額の購買をしたことを示す購買情報が入力される。制御部７ｆは、一定の金額を示す情報を保持している。そして、制御部７ｆは、入力部７ｇにより入力された購買情報のうち、一定金額以上の購買をしたことを示す購買情報を取得した場合、復号鍵情報記憶部７ｄから復号鍵情報を取得する。そして、制御部７ｆの指示により、送信部７ｂは、携帯端末装置６に対して、非接触通信により、復号鍵情報を送信する。
【００９４】
（動作）
商品に関する装置の一例として、レジ装置を用いて説明する。利用者が商品について、所定の金額の商品を購入する。すると、例えば、レジの管理者により、レジ装置の入力部７ｇを用いて、所定の金額の購買をしたことを示す購買情報が入力される。入力された購買情報は制御部７ｆへ送られ、取得される。
【００９５】
制御部７ｆは、入力された購買情報に基づいて、所定の金額を示す情報を生成する。そして、制御部７ｆは、保持している一定の金額を示す情報と、上記所定の金額を示す情報を比較し、いずれの金額が大きいか判断する。
【００９６】
上記一定の金額の方が大きい場合には、携帯端末装置６との間で、非接触通信の確立が行われる。そして、図６に示すステップＳ３０以降の動作が行われる。即ち、送信部７ｂは、携帯端末装置６に対して、非接触通信により、復号鍵情報を送信する。
【００９７】
一方、一定の金額の方が小さい場合には、携帯端末装置６との間で、非接触通信の確立は行われず、復号鍵情報の送信は行われない。
【００９８】
（変形例４）
なお、商品に関する装置が自動販売装置の場合にも、上記レジ装置の場合と同じように、本発明の適用が可能である。本変形例の商品に関する装置において、図９と同一構成、機能については、その説明を省略し、異なる点を詳細に説明する。
【００９９】
上記装置の制御部７ｆは、各商品を特定する情報と、金額を示す情報とが対応づけられたテーブルを保持している。また、上記装置は、金銭を投入する投入部（図示せず）と、投入された金銭に基づいて、金額を示す情報を生成する生成部（図示せず）とを有する。
【０１００】
（動作）
そして、利用者は、入力部７ｇを用いて、商品を特定する情報、商品数量を入力する。入力部７ｇにより入力された商品を特定する情報等は、制御部７ｆへ送られる。制御部７ｆは、保持しているテーブルを参照して、商品を特定する情報及び商品数量から、購買金額を示す情報である購買情報を生成する。
【０１０１】
また、利用者が、所定の金銭を投入部により投入する。投入された金銭は、生成部に送られ、生成部は、投入された金銭に基づいて、投入金額を示す情報を生成する。生成された投入金額を示す情報は制御部７ｆへ送られる。
【０１０２】
制御部７ｆは、投入金額が、購買金額以上の場合には、購買情報を取得する。そして、制御部７ｆは、購買情報が示す購買金額と、保持している一定金額を示す情報とを比較し、いずれの金額が大きいかを判断する。
【０１０３】
上記一定の金額の方が大きい場合には、携帯端末装置６との間で、非接触通信の確立が行われる。そして、図６に示すステップＳ３０以降の動作が行われる。即ち、送信部７ｂは、携帯端末装置６に対して、非接触通信により、復号鍵情報を送信する。
【０１０４】
一方、一定の金額の方が小さい場合には、携帯端末装置６との間で、非接触通信の確立は行われず、復号鍵情報の送信は行われない。
【０１０５】
変形例３，４によれば、ある一定の金額以上の商品購入をした場合に、例えば、クーポンとして、復号鍵情報を送信するようにしているので、その商品に対する販売促進を図ることが可能となる。
【０１０６】
【発明の効果】
以上説明したように、本発明によれば、携帯端末装置を保持する利用者が復号鍵情報送信装置に接近するだけで、復号鍵情報送信装置は、携帯端末装置に対して、非接触通信により、迅速に復号鍵情報を送信することができる。このため、利用者は携帯端末装置を用いて迅速に復号鍵情報を取得することができる。
【０１０７】
また、携帯端末装置は、復号鍵情報送信装置から、非接触通信により、復号鍵情報を取得できるので、例えば管理者が認証のための所定の行為を行う必要もなく、復号鍵情報を有する装置を利用者に渡すという行為を行う必要もない。このため、本発明によれば、携帯端末装置が復号鍵情報を取得する場合において、従来技術に比べて、人手によるコストの低減化が可能である
また、本発明によれば、事前にユーザ登録をしなくとも、携帯端末装置が復号鍵情報を取得することができるので、利用者は、手間をかけずに、復号鍵情報を取得することが可能となる。
【図面の簡単な説明】
【図１】本実施の形態の情報送信システムの構成を示す図である。
【図２】本実施の形態の復号鍵情報送信装置の内部構成を示すブロック図である。
【図３】本実施の形態の復号鍵情報送信装置の外部構成を示す図である。
【図４】本実施の形態の携帯端末装置の構成を示す図である。
【図５】本実施の形態の情報送信システムの動作の一部を示すフローチャート図である。
【図６】本実施の形態の情報送信システムの動作の一部を示すフローチャート図である。
【図７】本実施の形態の情報送信システムの動作の一部を示すフローチャート図である。
【図８】変形例１の情報送信システムの構成を示す図である。
【図９】変形例３の復号鍵情報送信装置の構成を示す図である。
【符号の説明】
１　放送サーバ装置
２　公衆ネットワーク
３　ゲートウェイ装置
４　移動通信網
５　基地局
６　携帯端末装置
６ｃ　記憶部
６ｄ、７ｇ　入力部
６ｇ　出力部
６ｆ　処理部
７　復号鍵情報送信装置
７ａ　検出部
６ｂ、７ｂ　通信部
７ｃ　ゲート部
７ｄ　復号鍵情報送信装置
７ｆ　制御部
７ｇ　壁体部
【図１】
2004112210.tif 000003
【図２】
2004112210.tif 000004
【図３】
2004112210.tif 000005
【図４】
2004112210.tif 000006
【図５】
2004112210.tif 000007
【図６】
2004112210.tif 000008
【図７】
2004112210.tif 000009
【図８】
2004112210.tif 000010
【図９】
2004112210.tif 000011